(57)【要約】【課題】十分な省電力を図りつつ、無線接続によりネットワークと通信を行うことができる携帯無線機器を提供すること。【解決手段】無線通信部３０に供給される電力量の管理を行うテーブルが格納されているテーブル格納部３１と、アクセスポイント１００から発信されているビーコン信号を受信したか否かを判断する判断部３２と、判断部３２による判断結果に基づいてテーブル格納部３１に格納されているテーブルを参照し、無線通信部３０に供給される電力量を制御する制御部３３と、を備える。テーブルには、無線通信部３０に電力が供給される時間帯を設定する電力供給時間帯設定項目Ａと、無線通信部３０に電力が供給される時間帯内において、判断部３２によりビーコン信号を無線通信部３０により一定時間内に受信しなかったと判断したときに、無線通信部３０に供給されている電力を遮断するか否かを決定する電力供給遮断設定項目Ｂと、が含まれている。【選択図】図３
2009135708.tif 000002
【特許請求の範囲】
【請求項１】
アクセスポイントに無線接続してネットワークと通信を行うための無線通信部を備える携帯無線端末において、
前記無線通信部に供給される電力量の管理を行うテーブルが格納されているテーブル格納手段と、
前記テーブル格納手段に格納されている前記テーブルを参照し、前記無線通信部に供給される電力量を制御する制御手段と、を備え、
前記テーブル格納手段に格納されている前記テーブルには、少なくとも、前記無線通信部に電力が供給される時間帯を設定する電力供給時間帯設定項目が含まれていること特徴とする携帯無線機器。
【請求項２】
前記アクセスポイントから発信されている読出信号を前記無線通信部により受信したか否かを判断する判断手段を有し、
前記制御手段は、前記電力供給時間帯設定項目に設定されている時間帯に該当する場合に、前記判断手段により前記読出信号を前記無線通信部により一定時間内に受信しなかったと判断したときに、前記無線通信部に供給されている電力を低下させることを特徴とする請求項１記載の携帯無線機器。
【請求項３】
前記制御手段は、前記無線通信部に供給されている電力を遮断することにより、前記無線通信部に供給されている電力を低下させることを特徴とする請求項２記載の携帯無線機器。
【請求項４】
前記テーブルには、前記無線通信部に供給されている電力を遮断させるか否かを決定する電力供給遮断設定項目が含まれることを特徴とする請求項１から３いずれか１項に記載の携帯無線機器。
【請求項５】
前記制御手段は、前記テーブルの前記電力供給遮断設定項目に電力を遮断する設定がされていた場合において、前記判断手段により前記読出信号を前記無線通信部により一定時間内に受信しなかったと判断したとき、前記無線通信部に供給されている電力を遮断することを特徴とする請求項４記載の携帯無線機器。
【請求項６】
前記制御手段は、前記テーブルの前記電力供給遮断設定項目に電力を遮断する設定がされていない場合において、前記判断手段により前記読出信号を前記無線通信部により一定時間内に受信しなかったと判断したとき、間欠的に前記アクセスポイントから発信されている読出信号を受信できる程度の電力まで前記無線通信部に供給されている電力を低下させることを特徴とする請求項４又は５記載の携帯無線機器。
【請求項７】
前記テーブル格納手段に格納されている前記テーブルには、前記アクセスポイントの登録情報が設定される登録アクセスポイント設定項目が含まれており、
前記判断手段は、前記アクセスポイントから発信されている読出信号を前記無線通信部により受信したと判断したときに、前記読出信号に含まれているアクセスポイントの情報と前記登録アクセスポイント設定項目に設定されている登録情報とを比較し、一致するか否かを判断し、
前記制御手段は、前記判断手段により前記読出信号に含まれているアクセスポイントの情報と前記登録アクセスポイント設定項目に設定されている登録情報とが一致したと判断したとき、前記無線通信部により前記ネットワークと通信を行うように制御することを特徴とする請求項１乃至６に記載の携帯無線機器。
【請求項８】
前記テーブル格納手段に格納されている前記テーブルに含まれている設定項目を補正する補正手段を備え、
前記補正手段は、前記テーブルの前記電力供給時間帯設定項目に設定されている時間帯内において、前記アクセスポイントとの通信状態に基づいて、設定されている前記電力供給時間帯設定項目を補正することを特徴とする請求項１乃至７に記載の携帯無線機器。
【請求項９】
前記テーブルに含まれている各設定項目は、ユーザの使用用途毎に設定されることを特徴とする請求項１乃至８に記載の携帯無線機器。
【発明の詳細な説明】
【技術分野】
【０００１】
本発明は、無線接続によりネットワークと通信を行う携帯無線機器に関する。
【背景技術】
【０００２】
携帯無線機器においては、無線接続によりネットワークとの通信を行う際に、種々の方法が採用されている。
【０００３】
また、ＧＰＳ（ｇｌｏｂａｌ  ｐｏｓｉｔｉｏｎｉｎｇ  ｓｙｓｔｅｍ）により測位した携帯無線機器の現在位置と、予め登録されている接続対象のアクセスポイント（無線ＬＡＮ基地局）の位置情報とを比較し、携帯無線機器の現在位置付近にアクセスポイントが存在する場合には、無線ＬＡＮアダプタの電源をオンにして、当該アクセスポイントからのビーコン信号の受信を待ち、その後、所定時間内にビーコン信号が受信された場合には、無線ＬＡＮアダプタを介してそのアクセスポイントとの間で無線ＬＡＮ接続を行い、一方、所定時間内にビーコン信号が受信されなかった場合には、無線ＬＡＮアダプタの電源をオフにする方法がある（例えば、特許文献１を参照。）。
【特許文献１】特開２００４−１６５７５５号公報
【発明の開示】
【発明が解決しようとする課題】
【０００４】
しかし、特許文献１による方法では、携帯無線機器の位置情報を取得するために、ＧＰＳによる測位を定期的に行う必要があり、当該測位処理に伴う消費電力が大きく、十分な省電力を図ることが困難である。
【０００５】
本発明では、上述のような課題に鑑みてなされたものであり、その目的の一つは、十分な省電力を図りつつ、無線接続によりネットワークと通信を行うことができる携帯無線機器を提供することにある。
【課題を解決するための手段】
【０００６】
本発明に係る携帯無線機器は、上記課題を解決するために、アクセスポイントに無線接続してネットワークと通信を行うための無線通信部を備える携帯無線端末において、前記無線通信部に供給される電力量の管理を行うテーブルが格納されているテーブル格納手段と、前記テーブル格納手段に格納されている前記テーブルを参照し、前記無線通信部に供給される電力量を制御する制御手段と、を備え、前記テーブル格納手段に格納されている前記テーブルには、少なくとも、前記無線通信部に電力が供給される時間帯を設定する電力供給時間帯設定項目が含まれていること特徴とする。
【０００７】
また、携帯無線機器では、前記アクセスポイントから発信されている読出信号を前記無線通信部により受信したか否かを判断する判断手段を有し、前記制御手段は、前記電力供給時間帯設定項目に設定されている時間帯に該当する場合に、前記判断手段により前記読出信号を前記無線通信部により一定時間内に受信しなかったと判断したときに、前記無線通信部に供給されている電力を低下させることが好ましい。
【０００８】
また、携帯無線機器では、前記制御手段は、前記無線通信部に供給されている電力を遮断することにより、前記無線通信部に供給されている電力を低下させることが好ましい。
【０００９】
また、携帯無線機器では、前記テーブルには、前記無線通信部に供給されている電力を遮断させるか否かを決定する電力供給遮断設定項目が含まれることが好ましい。
【００１０】
また、携帯無線機器では、前記制御手段は、前記テーブルの前記電力供給遮断設定項目に電力を遮断する設定がされていた場合において、前記判断手段により前記読出信号を前記無線通信部により一定時間内に受信しなかったと判断したとき、前記無線通信部に供給されている電力を遮断することが好ましい。
【００１１】
また、携帯無線機器では、前記制御手段は、前記テーブルの前記電力供給遮断設定項目に電力を遮断する設定がされていない場合において、前記判断手段により前記読出信号を前記無線通信部により一定時間内に受信しなかったと判断したとき、間欠的に前記アクセスポイントから発信されている読出信号を受信できる程度の電力まで前記無線通信部に供給されている電力を低下させることが好ましい。
【００１２】
また、携帯無線機器では、前記テーブル格納手段に格納されている前記テーブルには、前記アクセスポイントの登録情報が設定される登録アクセスポイント設定項目が含まれており、前記判断手段は、前記アクセスポイントから発信されている読出信号を前記無線通信部により受信したと判断したときに、前記読出信号に含まれているアクセスポイントの情報と前記登録アクセスポイント設定項目に設定されている登録情報とを比較し、一致するか否かを判断し、前記制御手段は、前記判断手段により前記読出信号に含まれているアクセスポイントの情報と前記登録アクセスポイント設定項目に設定されている登録情報とが一致したと判断したとき、前記無線通信部により前記ネットワークと通信を行うように制御することが好ましい。
【００１３】
また、携帯無線機器では、前記テーブル格納手段に格納されている前記テーブルに含まれている設定項目を補正する補正手段を備え、前記補正手段は、前記テーブルの前記電力供給時間帯設定項目に設定されている時間帯内において、前記アクセスポイントとの通信状態に基づいて、設定されている前記電力供給時間帯設定項目を補正することが好ましい。
【００１４】
また、携帯無線機器では、前記テーブルに含まれている各設定項目は、ユーザの使用用途毎に設定されることが好ましい。
【発明の効果】
【００１５】
本発明によれば、十分な省電力を図りつつ、無線接続によりネットワークと通信を行うことができる。
【発明を実施するための最良の形態】
【００１６】
以下、本発明の実施の形態について説明する。図１は、本発明に係る外部機器（基地局）と通信を行う携帯無線機器の一例である携帯電話装置１の外観斜視図である。
【００１７】
図１に示すように、携帯電話装置１は、フロントケース２ａとリアケース２ｂとにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備えて構成される。
【００１８】
操作部側筐体部２は、フロントケース２ａの表面側に露出するように配設される操作ボタン群１１と音声入力部１２とを有して構成される。操作ボタン群１１は、各種設定や電話帳機能やメール機能等の各種機能を作動させるための機能設定操作ボタン１３と、数字や文字が割り当てられ、電話番号入力時やメール作成時等における文字入力時に用いられる入力操作ボタン１４と、各種操作における決定やスクロール等を行う決定操作ボタン１５と、から構成されている。また、操作部側筐体部２の側面には、イヤホンコネクタキャップ１６と、外部機器（基地局）と通信を行うためのインターフェース（図示せず）を覆うキャップ１７とが設けられている。さらに、操作部側筐体部２の下端部には、充電用コネクタ（図示せず）を覆うキャップ１８ａと、一対の充電用接点部１８ｂとが設けられている。なお、音声入力部１２は、携帯電話装置１の使用者が通話時に発した音声を入力するために用いられる。
【００１９】
表示部側筐体部３は、各種情報を表示するためのディスプレイ２１と、通話の相手側の音声を出力する音声出力部２２とを有して構成される。また、表示部側筐体部３の上端部には、他の携帯電話装置等との間で赤外線通信を行うための通信部２３が設けられている。
【００２０】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り替えることができるように構成されている。なお、本実施形態においては、通信機器の一例としてヒンジ機構４を介して操作部側筐体部２と表示部側筐体部３とが相対的に動く、いわゆる折り畳み式の携帯電話装置１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、さらには、操作部側筐体部２と表示部側筐体部３とが一つの筐体に配置されたもの（いわゆる、ストレートタイプ）であっても適用可能である。
【００２１】
ここで、携帯電話装置１は、図２に示すように、アクセスポイント１００を介して、ネットワーク１０１と通信するように無線接続されている。
【００２２】
また、携帯電話装置１は、図３に示すように、アクセスポイント１００に無線接続してネットワークと通信を行うための無線通信部３０と、無線通信部３０に供給される電力量の管理を行うテーブルが格納されているテーブル格納部３１（テーブル格納手段）と、アクセスポイント１００から発信されている読出信号（ビーコン信号）を無線通信部３０により受信したか否か、又は無線ＬＡＮによる送受信が行なわれているか否かを判断する判断部３２（判断手段）と、判断部３２による判断結果に基づいてテーブル格納部３１に格納されているテーブルを参照し、無線通信部３０に供給される電力量を制御する制御部３３（制御手段）と、を備える。また、制御部３３には、ディスプレイ２１と、操作ボタン群１１とが接続されている。制御部３３は、予め設定されているテーブルの各項目の設定内容にしたがって制御を行う。
【００２３】
ここで、テーブルの設定内容について説明する。テーブルには、図４に示すように、少なくとも、無線通信部３０に電力が供給される時間帯を設定する電力供給時間帯設定項目Ａ（図４中の「無線通信部３０のＯＮ時間帯」の「時間」に相当する。）と、無線通信部３０に電力が供給される時間帯内において、判断部３２によりビーコン信号を無線通信部３０により一定時間内に受信しなかったと判断したときに、無線通信部３０に供給されている電力を遮断するか否かを決定する電力供給遮断設定項目Ｂ（図４中の「無線通信部３０のＯＮ時間帯」の「ＯＦＦ移行フラグ」に相当する。）と、が含まれている。
【００２４】
ここで、テーブルの電力供給遮断設定項目Ｂに電力を遮断する設定がされていた場合、すなわちフラグが「ＯＮ」の場合において、判断部３２によりビーコン信号を無線通信部３０により一定時間内に受信しなかったと判断したときには、制御部３３は、無線通信部３０に供給されている電力を遮断する。
【００２５】
また、テーブルの電力供給遮断設定項目Ｂに電力を遮断する設定がされていない場合、すなわちフラグが「ＯＦＦ」の場合において、判断部３２によりビーコン信号を無線通信部３０により一定時間内に受信しなかったと判断したときには、制御部３３は、間欠的にアクセスポイント１００から発信されているビーコン信号を受信できる程度の電力まで無線通信部３０に供給されている電力を低下する。なお、以下では、このように無線通信部３０により間欠受信を行うように制御部３３が制御する機能をパワーセーブモードと呼ぶ。
【００２６】
このようにして本発明では、テーブルを参照して、電力供給時間帯設定項目Ａに設定されている時間帯において、無線通信部３０がアクセスポイントから発信されているビーコン信号を受信できない場合に、電力供給遮断設定項目Ｂの設定状況に応じて、無線通信部３０に供給する電力を遮断し、又はパワーセーブモードで間欠受信を行うことにより、好適な省電力を図ることができる。
【００２７】
また、テーブルには、他に、平日か休日かを設定する休日種別項目Ｃと、使用用途（例えば、自宅で使用するのか、会社で使用するのか）を設定する使用用途項目Ｄと、使用用途項目Ｄを有効にするか又は無効にするかのフラグ有効／無効項目Ｅと、アクセスポイントを登録する項目Ｆとが含まれている。また、項目Ｆには、ＳＳ−ＩＤ（Ｓｅｒｖｉｃｅ  Ｓｅｔ  Ｉｄｅｎｔｉｆｉｅｒ）と、ＢＳＳ−ＩＤ（Ｂａｓｉｃ  Ｓｅｒｖｉｃｅ  Ｓｅｔ  Ｉｄｅｎｔｉｆｉｅｒ）とが設定される。ＳＳ−ＩＤとは、無線ネットワークをグループ化し、それを識別するための値であり、３２バイト以内の英数字の組み合わせで、ユーザが自由に設定できる。また、無線ＬＡＮの基本グループ（ひとつのアクセスポイントと複数のクライアントにより構成される）をＢＳＳといい、この中での通信で使用される値をＢＳＳ−ＩＤと呼ぶ。また、ＢＳＳ−ＩＤは、通常アクセスポイントのＭＡＣ（Ｍｅｄｉａ  Ａｃｃｅｓｓ  Ｃｏｎｔｒｏｌ）アドレスの値が用いられる。
【００２８】
また、制御部３３は、アクセスポイント１００からビーコン信号を受信したときに、当該ビーコン信号に含まれているＳＳ−ＩＳとＢＳＳ−ＩＤを抽出し、項目Ｆに登録されている内容と比較し、一致している場合には、アクセスポイント１００を介してネットワークと通信を行い、一致していない場合には、電力供給遮断設定項目Ｂの設定にしたがって、無線通信部３０に供給する電力を遮断するか、又はパワーセーブモードで間欠受信を行うように制御する。
【００２９】
なお、テーブルに含まれる項目は、上述したものに限られず上記項目の一部を削除しても良いし、また、他の項目を追加しても良い。
【００３０】
つぎに、制御部３３による無線通信部３０の電力制御の手順について図５乃至図８に示すフローチャートを参照して説明する。
【００３１】
ステップＳ１において、制御部３３は、図５に示すように、自動制御がＯＮ状態になっているか否かを判断する。ここで、自動制御がＯＮ状態とは、テーブルの設定状況に応じて無線通信部３０の電源を制御部３３が制御可能な状態をいい、例えば、携帯電話装置１の使用者が手動によりネットワークと通信する操作を行い、無線通信部３０の電源がＯＮ状態になっているときには、自動制御がＯＦＦ状態になっている。自動制御がＯＮ状態であると判断した場合（ＹＥＳ）には、ステップＳ４に進み、自動制御がＯＮ状態でないと判断した場合（ＮＯ）には、ステップＳ２に進む。
【００３２】
ステップＳ２において、制御部３３は、無通信状態が一定時間経過したか否かを判断する。具体的には、制御部３３は、判断部３２により無線ＬＡＮでの送受信が行なわれていない状態（無通信状態）が一定時間経過していると判断された場合には、ステップＳ３に進み、無通信状態が一定時間経過していないと判断された場合には、ステップＳ１に戻る。
【００３３】
ステップＳ３において、制御部３３は、自動制御をＯＮ状態にする。ステップＳ３の工程により自動制御をＯＮ状態にした後、ステップＳ１の工程又はステップＳ４の工程に進む。
【００３４】
ステップＳ４において、制御部３３は、テーブル格納部３１に格納されているテーブルを参照し、使用用途項目Ｄをチェックする。制御部３３は、使用用途項目Ｄの使用用途の個数分（図４においては、「自宅」と「会社」の二つ）、ステップＳ１乃至ステップＳ１０をループする。
【００３５】
ステップＳ５において、制御部３３は、テーブル格納部３１に格納されているテーブルを参照し、フラグ有効／無効項目Ｅをチェックし、有効であるか無効であるかを判断する。フラグ有効／無効項目Ｅが有効であると判断した場合（ＹＥＳ）には、ステップＳ６に進み、フラグ有効／無効項目Ｅが無効であると判断した場合（ＮＯ）には、ステップＳ１１に進む。
【００３６】
ステップＳ６において、制御部３３は、無線通信部３０の電源がＯＦＦ状態か否かを判断する。無線通信部３０の電源がＯＦＦ状態の場合（ＹＥＳ）には、ステップＳ８に進み、無線通信部３０がＯＦＦ状態の場合の制御を行い、また、無線通信部３０の電源がＯＦＦ状態でない場合（ＮＯ）には、ステップＳ７に進む。
【００３７】
ステップＳ７において、制御部３３は、無線通信部３０の電源がＯＮ状態か否かを判断する。無線通信部３０の電源がＯＮ状態の場合（ＹＥＳ）には、ステップＳ９に進み、無線通信部３０がＯＮ状態の場合の制御を行い、また、無線通信部３０の電源がＯＮ状態でない場合（ＮＯ）、すなわちパワーセーブモードの場合には、ステップＳ１０に進み、パワーセーブモードにおける制御を行う。
【００３８】
ステップＳ１１において、制御部３３は、テーブル格納部３１に格納されているテーブルを参照し、使用用途項目Ｄをチェックする。制御部３３は、使用用途項目Ｄの使用用途の個数分（図４においては、「自宅」と「会社」の二つ）、ステップＳ１乃至ステップＳ１０をループする。
【００３９】
＜無線通信部３０がＯＦＦ状態の場合の制御＞
ここで、ステップＳ８の工程で行う無線通信部３０がＯＦＦ状態の場合の制御について、図６に示すフローチャートを参照して説明する。
【００４０】
ステップＳ２１において、制御部３３は、後述するステップＳ４４の工程により、無線通信部３０の電源がＯＦＦ状態のまま一定時間経過するまで維持する制御が行われているか否かを判断する。当該制御を行っていると判断した場合（ＹＥＳ）には、処理を終了してステップＳ１１に進み、一方、当該制御を行っていないと判断した場合（ＮＯ）には、ステップＳ２２に進む。
【００４１】
ここで、本発明では、無線通信部３０の電源がＯＮ状態の場合には、アクセスポイントが発信するビーコン信号の受信待ち受け状態になっているが、ビーコン信号が受信できない場合には、電力供給遮断設定項目Ｂの設定状態によっては、無線通信部３０の電源をＯＦＦ状態に制御する。例えば、無線通信部３０の電源がＯＦＦ状態に制御された直後に、以下に説明するステップＳ２３の工程において、無線通信部３０の電源がＯＮ状態に制御された場合、短時間の間に無線通信部３０の電源状態が切り替えられ、却って電力の消費が大きくなってしまう。そこで、本発明では、後述するステップＳ４４の工程により、無線通信部３０の電源がＯＦＦ状態にされた後、一定時間経過するまでＯＮ状態にしないように制御を行う。
【００４２】
ステップＳ２２において、制御部３３は、テーブル格納部３１に格納されているテーブルを参照し、現在の日時が電力供給時間帯設定項目Ａに設定されている時間帯に該当するか否かを判断する。現在日時が設定されている時間帯に該当すると判断した場合（ＹＥＳ）には、ステップＳ２３に進み、一方、現在日時が設定されている時間帯に該当しないと判断した場合（ＮＯ）には、処理を終了してステップＳ１１に進む。
【００４３】
ステップＳ２３において、制御部３３は、無線通信部３０の電源をＯＮ状態に制御する。無線通信部３０は、電源がＯＮにされたことにより、アクセスポイント１００から発信されるビーコン信号の受信を行うことができる。
【００４４】
＜無線通信部３０がＯＮ状態の場合の制御＞
ここで、ステップＳ９の工程で行う無線通信部３０がＯＮ状態の場合の制御について、図７に示すフローチャートを参照して説明する。
【００４５】
ステップＳ３１において、制御部３３は、テーブル格納部３１に格納されているテーブルを参照し、現在の日時が電力供給時間帯設定項目Ａに設定されている時間帯に該当するか否かを判断する。現在日時が設定されている時間帯に該当すると判断した場合（ＹＥＳ）には、ステップＳ３４に進み、一方、現在日時が設定されている時間帯に該当しないと判断した場合（ＮＯ）には、ステップＳ３２に進む。
【００４６】
ステップＳ３２において、制御部３３は、一定時間無通信状態か否かを判断する。制御部３３は、判断部３２により無線ＬＡＮでの送受信が行なわれていない状態（無通信状態）が一定時間経過していると判断された場合（ＹＥＳ）には、ステップＳ３３に進み、判断部３２により無通信状態が一定時間経過していないと判断された場合には、処理を終了してステップＳ１１に進む。
【００４７】
ステップＳ３３において、制御部３３は、無線通信部３０の電源をＯＦＦ状態に制御する。ステップＳ３３の工程により無線通信部３０の電源をＯＦＦ状態に制御した後、ステップＳ１１に進む。
【００４８】
ステップＳ３４において、制御部３３は、一定時間内において、登録されているアクセスポイント１００のビーコン信号を受信できたか否かを判断する。一定時間内において、ビーコン信号を受信できないと判断した場合（ＹＥＳ）には、ステップＳ３６に進み、一定時間内において、ビーコン信号を受信できたと判断した場合（ＮＯ）には、ステップＳ３５に進む。
【００４９】
ステップＳ３５において、制御部３３は、一定時間に渡って、無通信状態であるか否かを判断する。例えば、携帯電話装置１の使用者がネットワークを使用しない場合が当該「無通信状態」に該当する。無通信状態であると判断した場合（ＹＥＳ）には、ステップＳ３６に進み、無通信状態ではないと判断した場合（ＮＯ）には、処理を終了し、ステップＳ１１に進む。
【００５０】
ステップＳ３６において、制御部３３は、無線通信部３０の電源をパワーセーブモードで制御する。ステップＳ３６の工程によりパワーセーブモードに移行した後、ステップＳ１１に進む。
【００５１】
＜パワーセーブモードにおける制御＞
ここで、ステップＳ１０の工程で行うパワーセーブモードにおける制御について、図８に示すフローチャートを参照して説明する。なお、上述したように、パワーセーブモード状態にある無線通信部３０は、アクセスポイント１００から発信されるビーコン信号の受信を間欠的に行っている。
【００５２】
ステップＳ４１において、制御部３３は、テーブル格納部３１に格納されているテーブルを参照し、現在の日時が電力供給時間帯設定項目Ａに設定されている時間帯に該当するか否かを判断する。現在日時が設定されている時間帯に該当すると判断した場合（ＹＥＳ）には、ステップＳ４２に進み、一方、現在日時が設定されている時間帯に該当しないと判断した場合（ＮＯ）には、ステップＳ４５に進む。
【００５３】
ステップＳ４２において、制御部３３は、一定時間内において、登録されているアクセスポイント１００のビーコン信号を受信できたか否かを判断する。一定時間内において、ビーコン信号を受信できないと判断した場合（ＹＥＳ）には、ステップＳ４３に進み、一定時間内において、ビーコン信号を受信できたと判断した場合（ＮＯ）には、ステップＳ４６に進む。
【００５４】
ステップＳ４３において、制御部３３は、テーブル格納部３１に格納されているテーブルの電力供給遮断設定項目Ｂを確認し、無線通信部３０の電源をＯＦＦに移行する設定状態（図４中では、電力供給遮断設定項目Ｂが「ＯＮ」の設定状態）になっているか否かを判断する。無線通信部３０の電源をＯＦＦに移行する設定状態になっていると判断した場合（ＹＥＳ）には、ステップＳ４４に進み、無線通信部３０の電源をＯＦＦに移行する設定状態になっていないと判断した場合（ＮＯ）には、処理を終了してステップＳ１１に進む。
【００５５】
ステップＳ４４において、制御部３３は、一定時間、無線通信部３０の電源がＯＦＦ状態のまま維持されるように制御する。
【００５６】
ステップＳ４５において、制御部３３は、無線通信部３０の電源をＯＦＦ状態に移行する。ステップＳ４５の工程により無線通信部３０の電源をＯＦＦ状態に移行した後、ステップＳ１１に進む。
【００５７】
また、上述した制御部３３による無線通信部３０の電源制御についての状態遷移を図９に示す。
【００５８】
図９に示すように、無線通信部３０の電源がＯＮ状態のときには、現在の時刻がテーブルの電力供給時間帯設定項目Ａに設定されている時間帯に該当し、かつ一定時間アクセスポイント１００が未発見であったり、一定時間無通信状態であったりした場合、パワーセーブモードに移行し、現在の時刻がテーブルの電力供給時間帯設定項目Ａに設定されている時間帯に該当しない場合、無線通信部３０の電源をＯＦＦ状態に移行する。
【００５９】
また、無線通信部３０がパワーセーブモードの状態のときには、アクセスポイント１００が発見できたり、通信を開始した場合、無線通信部３０の電源をＯＮ状態に移行し、一定時間アクセスポイント１００が未発見の場合、一定時間待機し、その後、無線通信部３０の電源をＯＦＦ状態に移行し、また、現在の時刻がテーブルの電力供給時間帯設定項目Ａに設定されている時間帯に該当しない場合、無線通信部３０の電源をＯＦＦ状態に移行する。
【００６０】
＜テーブルの補正＞
また、携帯電話装置１は、図３に示すように、テーブル格納部３１に格納されているテーブルに含まれている設定項目を補正する補正部３４を備える。
【００６１】
補正部３４は、テーブルの電力供給時間帯設定項目Ａに設定されている時間帯内において、アクセスポイント１００との通信状態に基づいて、設定されている電力供給時間帯設定項目Ａを補正する。
【００６２】
ここで、電力供給時間帯設定項目Ａの補正の方法について、図１０に示すフローチャートを参照しながら説明する。なお、以下の各工程においては、上述した方法により登録されているアクセスポイント１００の発見（つまり、ネットワークとの通信）を行うものとする。
【００６３】
ステップＳ５１において、制御部３３は、登録されているアクセスポイント１００が発見されたか否かを判断する。登録されているアクセスポイント１００が発見されたと判断した場合（ＹＥＳ）には、ステップＳ５２に進み、登録されているアクセスポイント１００が発見できなかったと判断した場合（ＮＯ）には、ステップＳ５７に進む。
【００６４】
ステップＳ５２において、制御部３３は、テーブル格納部３１に格納されているテーブルを参照し、現在時刻が電力供給時間帯設定項目Ａに設定されている時間帯（以下、ＯＮ時間帯という。）の範囲外か否かを判断する。現在時刻がＯＮ時間帯の範囲外であると判断した場合（ＹＥＳ）には、ステップＳ５３に進み、一方、現在時刻がＯＮ時間帯の範囲外でないと判断した場合、すなわちＯＮ時間帯である場合（ＮＯ）には、処理を終了し、テーブルの補正は行わない。
【００６５】
ステップＳ５３において、制御部３３は、現在時刻とＯＮ時間帯における開始時刻との差が一定時間（例えば、１時間）以内か否かを判断する。一定時間以内であると判断した場合（ＹＥＳ）には、ステップＳ５４に進み、一定時間以内ではないと判断した場合（ＮＯ）には、ステップＳ５５に進む。
【００６６】
ステップＳ５４において、補正部３４は、制御部３３の制御にしたがって、ＯＮ時間帯の開始時刻を一定時間（例えば、１０分間）早める補正を行う。この補正作業により、テーブルの電力供給時間帯設定項目Ａに設定されている時間帯における開始時刻が一定時間早くなるように補正される。
【００６７】
ステップＳ５５において、制御部３３は、現在時刻とＯＮ時間帯における終了時刻との差が一定時間（例えば、１時間）以内か否かを判断する。一定時間以内であると判断した場合（ＹＥＳ）には、ステップＳ５６に進み、一定時間以内ではないと判断した場合（ＮＯ）には、処理を終了し、テーブルの補正は行わない。
【００６８】
ステップＳ５６において、補正部３４は、制御部３３の制御にしたがって、ＯＮ時間帯の終了時刻を一定時間（例えば、１０分間）遅らせる補正を行う。この補正作業により、テーブルの電力供給時間帯設定項目Ａに設定されている時間帯における終了時刻が一定時間遅くなるように補正される。
【００６９】
ステップＳ５７において、制御部３３は、テーブル格納部３１に格納されているテーブルを参照し、現在時刻がＯＮ時間帯の範囲内か否かを判断する。現在時刻がＯＮ時間帯の範囲内であると判断した場合（ＹＥＳ）には、ステップＳ５８に進み、一方、現在時刻がＯＮ時間帯の範囲内でないと判断した場合、すなわちＯＮ時間帯でない場合（ＮＯ）には、処理を終了し、テーブルの補正は行わない。
【００７０】
ステップＳ５８において、制御部３３は、現在時刻とＯＮ時間帯における開始時刻との差が一定時間（例えば、１時間）以内か否かを判断する。一定時間以内であると判断した場合（ＹＥＳ）には、ステップＳ５９に進み、一定時間以内ではないと判断した場合（ＮＯ）には、ステップＳ６０に進む。
【００７１】
ステップＳ５９において、補正部３４は、制御部３３の制御にしたがって、ＯＮ時間帯の開始時刻を一定時間（例えば、１０分間）遅らせる補正を行う。この補正作業により、テーブルの電力供給時間帯設定項目Ａに設定されている時間帯における開始時刻が一定時間遅くなるように補正される。
【００７２】
ステップＳ６０において、制御部３３は、現在時刻とＯＮ時間帯における終了時刻との差が一定時間（例えば、１時間）以内か否かを判断する。一定時間以内であると判断した場合（ＹＥＳ）には、ステップＳ６１に進み、一定時間以内ではないと判断した場合（ＮＯ）には、処理を終了し、テーブルの補正は行わない。
【００７３】
ステップＳ６１において、補正部３４は、制御部３３の制御にしたがって、ＯＮ時間帯の終了時刻を一定時間（例えば、１０分間）早める補正を行う。この補正作業により、テーブルの電力供給時間帯設定項目Ａに設定されている時間帯における終了時刻が一定時間早くなるように補正される。
【００７４】
このようにして、本発明によれば、テーブル格納部３１に格納されているテーブルに少なくとも、無線通信部３０に電力が供給される時間帯を設定する電力供給時間帯設定項目Ａと、無線通信部３０に電力が供給される時間帯内において、判断部３２によりビーコン信号を無線通信部３０により一定時間内に受信しなかったと判断したときに、無線通信部３０に供給されている電力を遮断するか否かを決定する電力供給遮断設定項目Ｂと、が含まれているので、電力供給時間帯設定項目Ａに設定されている時間帯において、無線通信部３０がアクセスポイントから発信されているビーコン信号を受信できない場合に、電力供給遮断設定項目Ｂの設定状況に応じて、無線通信部３０に供給する電力を遮断し、又はパワーセーブモードで間欠受信を行うので、好適な省電力を図ることができる。
【００７５】
また、パワーセーブモードの場合には、定期的に無線通信部３０の電源をＯＮ状態にしてアクセスポイント１００を探索する必要があるので、無線通信部３０には電力が供給され続けており、さらなる省電力を図ることが困難であるが、本発明では、パワーセーブモードに移行しないときには、無線通信部３０に供給する電力を遮断するので、さらなる省電力を図ることができる。
【００７６】
また、無線接続を行うアクセスポイント１００は、一般的に、使用者が勤める会社や自宅等の特定エリアに限定されるため、そのエリア内にいる場合にのみ無線通信部３０の電源をＯＮ状態にする制御を行うことにより、省電力が実現できる。
【００７７】
また、本発明によれば、テーブル格納部３１に格納されているテーブルの各設定項目を補正する補正部３４を有し、使用者の使用状況に応じて、適宜テーブルが補正されるので、位置情報取得のために消費電力を浪費することなく実運用に近い電源管理をすることができる。
【００７８】
なお、本実施例においては、携帯電話装置１とアクセスポイント１００とは、無線ＬＡＮを利用して通信を行うものとして説明したが、これに限られず、他の無線方式であっても好適に本発明を適用することができる。
【図面の簡単な説明】
【００７９】
【図１】本発明に係る携帯電話装置の外観を示す斜視図である。
【図２】本発明に係る携帯電話装置がアクセスポイントを介してネットワークに接続される様子を示す模式図である。
【図３】本発明に係る携帯電話装置の機能を示すブロック図である。
【図４】本発明に係る携帯電話装置に備えられているテーブル格納部に格納されているテーブルの設定内容を模式的に示す図である。
【図５】本発明に係る携帯電話装置に備えられている無線通信部の電源制御の手順についての説明に供する第１のフローチャートである。
【図６】本発明に係る携帯電話装置に備えられている無線通信部の電源制御の手順についての説明に供する第２のフローチャートである。
【図７】本発明に係る携帯電話装置に備えられている無線通信部の電源制御の手順についての説明に供する第３のフローチャートである。
【図８】本発明に係る携帯電話装置に備えられている無線通信部の電源制御の手順についての説明に供する第４のフローチャートである。
【図９】本発明に係る携帯電話装置に備えられている制御部による無線通信部の電源制御についての状態遷移を示す模式図である。
【図１０】テーブル格納部に格納されているテーブルの設定内容を補正する方法の説明に供するフローチャートである。
【符号の説明】
【００８０】
１  携帯電話装置
３０  無線通信部
３１  テーブル格納部（テーブル格納手段）
３２  判断部（判断手段）
３３  制御部（制御手段）
３４  補正部（補正手段）
１００  アクセスポイント
【図１】
2009135708.tif 000003
【図２】
2009135708.tif 000004
【図３】
2009135708.tif 000005
【図４】
2009135708.tif 000006
【図５】
2009135708.tif 000007
【図６】
2009135708.tif 000008
【図７】
2009135708.tif 000009
【図８】
2009135708.tif 000010
【図９】
2009135708.tif 000011
【図１０】
2009135708.tif 000012